(57)【要約】【課題】全閉状態から扉を開ける際に小さい力で開けることができる収納部の扉開閉装置を提供する。【解決手段】収納空間１の前面開口１０を上扉２１及び下扉２２からなり前方に略く字状に折れ曲がる扉２にて開閉する収納部の扉２開閉装置であって、下扉２２の下端より後方に向けて支持部材６を突設して該支持部材６の後端部にベルト５０を固定し、ベルト５０を上方へ引っ張り上げて前記ベルト５０の支持部材６への固定部６１を上方に移動させると共に、ベルト５０を下方へ伸ばしてベルト５０の支持部材６への固定部６１を下方に移動させることで扉２を開閉させるベルト駆動手段５を設けた。【選択図】図１
2007138580.tif 000002
【特許請求の範囲】
【請求項１】
収納空間の前面開口を上扉及び下扉からなり前方に略く字状に折れ曲がる扉にて開閉する収納部の扉開閉装置であって、下扉の下端より後方に向けて支持部材を突設して該支持部材の後端部にベルトを固定し、ベルトを上方へ引っ張り上げて前記ベルトの支持部材への固定部を上方に移動させると共に、ベルトを下方へ伸ばしてベルトの支持部材への固定部を下方に移動させることで扉を開閉させるベルト駆動手段を設けて成ることを特徴とする収納部の扉開閉装置。
【請求項２】
扉の横巾を前面開口の横巾よりも広く形成して下扉の下端の左右両端部が前面開口の前端の側方端面に摺接するようにし、前記下扉の下端の左右両端部が摺接する前面開口の前端の側方端面に摩擦を低減する摺動部材を設けて成ることを特徴とする請求項１記載の収納部の扉開閉装置。
【請求項３】
扉の横巾を前面開口の横巾よりも広く形成して下扉の下端の左右両端部が前面開口の前端の側方端面に摺接するようにし、前記前面開口の前端の側方端面に摺接する下扉の下端に摩擦を低減する摺動部材を設けて成ることを特徴とする請求項１又は２記載の収納部の扉開閉装置。
【発明の詳細な説明】
【技術分野】
【０００１】
本発明は、収納部の扉開閉装置に関するものである。
【背景技術】
【０００２】
従来より、キッチンの食器棚やリビングの壁面収納等の様々な収納部が用いられている（例えば特許文献１参照）。この収納部は、前記キッチンの食器棚のようなものの場合には、略箱状をした外殻の内部が収納空間となるものであり、前記リビングの壁面収納のようなものの場合には、部屋の壁面に収納空間を凹設して形成するもので、収納空間の前面開口を介して収納物の出し入れを行うものである。
【０００３】
収納部には、収納空間の前面開口に開閉自在な扉を設けるものである。扉としては種々のものが考えられるが、扉を開いた時に前面開口を広くあけることができるとともに使用者にとって邪魔にならないようにするため、上扉と下扉からなる二つ折れの扉が用いられる。
【０００４】
この扉は、上扉と下扉とを丁番にて回動自在に連結するとともに、上扉の上端を前面開口の上端縁に丁番にて回動自在に枢支し、下扉の下端を前面開口の前端縁に沿って上下動自在となるようにガイドし、下扉の下端をベルトにて上方に吊り上げて上扉と下扉を前方に折り曲げた状態にして前面開口の略全面をあけるものである。
【０００５】
前記ベルトは、その先端が下扉の下端に固定されて上方に向けて配設されるとともに、上扉の上端の枢支部近傍に設けたプーリにて下方に向けて方向転換して配設され、基端はモータにて回転自在に配設されるドラムに固定される。
【０００６】
そして、扉を開くには、下扉の下端が収納部の前面開口の前端縁の下端に位置した状態からドラムを回転してベルトを巻いて下扉の下端を引っ張り上げることで行い、扉を閉めるには、ドラムを逆に回転して巻いたベルトを伸ばすことで下扉の下端を下げていくことで行う。
【０００７】
このような収納部の扉開閉装置にあっては、扉を開けるには上述したように先端が下扉の下端に固定されたベルトを引っ張り上げることで下扉を上方に持ち上げるのであるが、全閉状態から開ける際、下扉は上下方向を向いていてその上端部が上扉に枢支されており、この状態でベルトを引っ張り上げても下扉は上下方向の圧縮力を受けるだけであって下扉が回動して前面開口が開くことがないものであった。
【特許文献１】特開平８−３０３１０５号公報
【発明の開示】
【発明が解決しようとする課題】
【０００８】
本発明は上記の従来の問題点に鑑みて発明したものであって、その目的とするところは、全閉状態から扉を開ける際に小さい力で開けることができる収納部の扉開閉装置を提供することを課題とするものである。
【課題を解決するための手段】
【０００９】
前記課題を解決するために請求項１記載の発明は、収納空間１の前面開口１０を上扉２１及び下扉２２からなり前方に略く字状に折れ曲がる扉２にて開閉する収納部の扉２開閉装置であって、下扉２２の下端より後方に向けて支持部材６を突設して該支持部材６の後端部にベルト５０を固定し、ベルト５０を上方へ引っ張り上げて前記ベルト５０の支持部材６への固定部６１を上方に移動させると共に、ベルト５０を下方へ伸ばしてベルト５０の支持部材６への固定部６１を下方に移動させることで扉２を開閉させるベルト駆動手段５を設けて成ることを特徴とするものである。
【００１０】
このような構成とすることで、全閉状態から扉２を開ける際に小さい力で開けることが可能となるものである。
【００１１】
また請求項２記載の発明は、請求項１において、扉２の横巾を前面開口１０の横巾よりも広く形成して下扉２２の下端の左右両端部が前面開口１０の前端の側方端面に摺接するようにし、前記下扉２２の下端の左右両端部が摺接する前面開口１０の前端の側方端面に摩擦を低減する摺動部材４を設けて成ることを特徴とするものである。これにより、摩擦力を低減して小さい力で扉２を開けることが可能となる。
【００１２】
また請求項３記載の発明は、請求項１又は２において、扉２の横巾を前面開口１０の横巾よりも広く形成して下扉２２の下端の左右両端部が前面開口１０の前端の側方端面に摺接するようにし、前記前面開口１０の前端の側方端面に摺接する下扉２２の下端に摩擦を低減する摺動部材４を設けて成ることを特徴とするものである。これにより、摩擦力を低減して小さい力で扉２を開けることが可能となる。
【発明の効果】
【００１３】
本発明にあっては、全閉状態から扉を開ける際に小さい力で開けることが可能となり、モータの容量が小さくて済むものである。
【発明を実施するための最良の形態】
【００１４】
以下、本発明を添付図面に示す実施形態に基いて説明する。図１、図３、図５は全閉状態における一部切欠斜視図、側断面図、正面図であり、図２、図４、図６は全開状態における一部切欠斜視図、側断面図、正面図である。
【００１５】
本発明における収納部としては、キッチンの食器棚やリビングの壁面収納といったものであるが、特に限定されないものであり、この収納部は、例えばキッチンの食器棚の場合には略箱状をした外殻の内部が収納空間１となるものであり、例えばリビングの壁面収納の場合には部屋の壁面に収納空間１を凹設して形成するもので、いずれの場合でも収納空間１の前面開口１０を介して収納物の出し入れを行うものである。そして、収納空間１の前面開口１０には上扉２１と下扉２２からなる二つ折れの扉２が設けてある。
【００１６】
扉２は、上扉２１の内面（閉めた時の収納空間１側の面）の下端と下扉２２の内面の上端とに丁番３１をそれぞれ固定して回動自在に連結してあり、連結部分すなわち上扉２１の下端と下扉２２の上端とが前方に移動するように折れ曲がるものである。上扉２１の上端は前面開口１０の上端縁に丁番３２にて回動自在に枢支されており、上扉２１の下端が前方に移動するように回動する。
【００１７】
また、下扉２２の下端は前面開口１０の前端縁に沿って上下動自在となるもので、例えば、下扉２２の下端に被ガイド部を突出するとともに、前面開口１０の側端縁に前記被ガイド部の前後方向の移動を規制して上下方向の移動のみを可能とするガイドレールを設けてもよいが、本実施形態では扉２の横巾を前面開口１０の横巾よりも長く形成するとともに、下扉２２の内面の下端と前面開口１０の側端縁とに摩擦を低減させる摺動部材４１、４２を設けてある。すなわち、本発明のような上下に二つ折れとなる扉２は、前方に突出する略く字状に折れ曲がるとともに上扉２１の上端と下扉２２の下端とは同一の鉛直線上に位置するため、上扉２１の上端が枢支されている扉２は後方（収納空間１の方）に回動するようなモーメントを受けて下扉２２の下端が後方向きの力を受けることとなって、下扉２２の下端の前方への移動を規制するガイドは不要であり、後方への移動を前面開口１０の側端縁に当接させることで規制すればよいものである。この時、当接部分の摩擦力を低減させる摺動部材４を設けることで、上下方向に移動させる際の力のロスを抑えることができる。
【００１８】
収納空間１の内側壁１１の上端の後端近傍にはモータ５１にて回転されるドラム５２が回転自在に配設されるとともに、収納空間１の内側壁１１の上端の前端近傍にはプーリ５３が回転自在に配設されてベルト駆動手段５が設けられる。そして、前記ドラム５２にベルト５０の一方の端部が固定され、このベルト５０は前方に伸ばされて前記プーリ５３に掛けられて下方へと向きを変え、ベルト５０の他方の端部が下扉２２の下端より後方に突設された支持部材６の後方端部に固定される。
【００１９】
この扉２の開閉動作について説明する。全閉状態から開く場合は、上扉２１と下扉２２とが上下方向に面一状となって収納空間１の前面開口１０の端縁に当接した状態から、ドラム５２を開方向に回転させてベルト５０を引っ張り上げることで、下扉２２の下端を上方へ移動させる。この時、ベルト５０の先端は支持部材６の後方端部の固定部６１に固定されており、下扉２２から前記固定されている箇所までの長さをＬとすると共に（図３参照）、ベルト５０の張力の上向き成分をＦとすると、Ｍ＝Ｆ×ＬなるモーメントＭ（図において反時計回りのモーメント）および上向きの力Ｆが下扉２２の下端に掛かり、下扉２２の上端が前方に移動して扉２が略く字状に折れ曲がるとともに下扉２２の下端が上方に移動して扉２が開いていく。ここで、仮にベルト５０の先端を支持部材６ではなく下扉２２の下端に固定していたとすると、上向きの力Ｆは掛かるもののＬ＝０のためモーメントＭ＝０となり、扉２が略く字状とならずに上扉２１と下扉２２とが面一状のままとなって前記上向きの力Ｆにより上下方向の圧縮力を受けるのみで扉２が開かれないが、本実施形態のように下扉２２から後方に長さＬ離れた部分に力Ｆが掛かるようにすることで下扉２２にモーメントＭが掛かって略く字状に折れ曲がり、扉２が開かれるようになる。なお、前記長さＬが大きい程、小さい力Ｆで同じモーメントＭを掛けることができてモータ５１のトルクが小さくて済むが、長さＬを大きくすると支持部材６の後方への突出長さが長くなり、全開時における下扉２２の下端の位置が低い位置にまでしか上昇できなくなって前面開口１０の開口面積を大きく取ることができなくなるため、モータ５１の容量と開口面積との兼ね合いで最適な長さＬを設計するものである。
【００２０】
全閉状態から扉２が開きだすと、ベルト５０を巻き上げていくことで扉２が開いていき、全開状態となったところで後述する開状態検知リミットスイッチＬＳ１が作動してそれ以上のドラム５２の開方向の回転が行われなくなる。
【００２１】
また、扉２を閉じる場合には、ドラム５２を閉方向に回転させて巻き掛けたベルト５０を伸ばすことで、下扉２２の下端が自重で下がっていって扉２が閉じていき、全閉状態となったところで後述する閉状態検知リミットスイッチＬＳ２が作動してそれ以上のドラム５２の閉方向の回転が行われなくなる。
【００２２】
また、全閉状態と全開状態の中間の状態でドラム５２を停止させることもでき、これにより前面開口１０を所望の開口面積とすることができる。
【００２３】
以下、開状態検知リミットスイッチＬＳ１および閉状態検知リミットスイッチＬＳ２について説明する。
【００２４】
開状態検知リミットスイッチＬＳ１は、収納空間１の一方の内側壁１１の前端縁に設けてあり、その上下高さは、全開状態での下扉２２の下端が位置する高さとなるように設けるものである。そして、全閉状態においてこの開状態検知リミットスイッチＬＳ１が位置することとなる上扉２１の内面には、開状態検知リミットスイッチＬＳ１との接触を回避するための凹部２３が形成してある。これにより、全閉状態においては開状態検知リミットスイッチＬＳ１は前記凹部２３によって逃がされて扉２と非接触となり、全閉状態と全開状態の中間の状態においては開状態検知リミットスイッチＬＳ１の位置に扉２が存在しないため非接触となり、全開状態においてのみ下扉２２の下端と接触して全開状態が検知される。
【００２５】
閉状態検知リミットスイッチＬＳ２は、収納空間１の他方の内側壁１１の前端縁に設けてあり、その上下高さは、全開状態での下扉２２の下端が位置する高さ（すなわち上記開状態検知リミットスイッチＬＳ１の高さ）よりも高い位置に設けるものである。これにより、全閉状態においては閉状態検知リミットスイッチＬＳ２は扉２の内面と接触して全閉状態が検知され、全閉状態と全開状態の中間の状態においては開状態検知リミットスイッチＬＳ１の位置に扉２が存在しないため非接触となり、全開状態においても下扉２２の下端は閉状態検知リミットスイッチＬＳ２の高さにまで上昇しないため非接触となり、全開状態においてのみ検知される。
【００２６】
このような開状態検知リミットスイッチＬＳ１および閉状態検知リミットスイッチＬＳ２を設けることで、全閉状態から更に閉方向にドラム５２を回転させようとしたり全開状態から更に開方向にドラム５２を回転させようとしたりして、モータ５１をはじめ様々な部材に余計な力が掛かるのを阻止して、故障の発生を抑えることができる。
【図面の簡単な説明】
【００２７】
【図１】本発明の一実施形態の全閉状態における一部切欠斜視図である。
【図２】同上の全開状態における一部切欠斜視図である。
【図３】同上の全閉状態における側断面図である。
【図４】同上の全開状態における側断面図である。
【図５】同上の全閉状態における正面図である。
【図６】同上の全開状態における正面図である。
【符号の説明】
【００２８】
１    収納空間
１０  前面開口
１１  内側壁
２    扉
２１  上扉
２２  下扉
５    ベルト駆動手段
５０  ベルト
６    支持部材
６１  固定部
【図１】
2007138580.tif 000003
【図２】
2007138580.tif 000004
【図３】
2007138580.tif 000005
【図４】
2007138580.tif 000006
【図５】
2007138580.tif 000007
【図６】
2007138580.tif 000008